(57)【要約】【課題】従来の木炭を使用して室内の環境を改善する方法においては、木炭粉末を含有した塗料を室内の壁面に塗布した場合に、木炭の効力が維持されるようにし、該室内環境をマイナスイオンが豊富な環境に維持できるようにすること、また、該マイナスイオンが豊富な環境をより高いレベルで安定して維持できるようにすること。【解決手段】木炭粉末を含有した塗料を室内の壁面に塗布して室内の環境を改善する方法であって、前記室内の床面を絶縁体で形成し、前記壁面を地中に埋設した接地電極に接続して接地電位にすることにより、木炭の効力が維持されるようにして室内環境をマイナスイオンが豊富な環境に維持できるようにし、また、少なくとも金属で有底筒体に形成されたアース本体と、該アース本体内に収納される木炭と触媒とからなる接地電極装置を使用することにより、マイナスイオンが豊富な環境をより高いレベルで安定して維持できるようになる。【選択図】  図１
2004244837.tif 000002
【特許請求の範囲】
【請求項１】
木炭粉末を含有した塗料を室内の壁面に塗布して室内の環境を改善する方法であって、
前記室内の床面を絶縁体で形成し、前記壁面を地中に埋設した接地電極に接続して接地電位にすること
を特徴とする室内環境改善方法。
【請求項２】
前記接地電極は、
地中の略１〜２ｍの深さに埋設された電極であること
を特徴とする請求項１に記載の室内環境改善方法。
【請求項３】
前記木炭粉末を含有した塗料は、
ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物であること
を特徴とする請求項１に記載の室内環境改善方法。
【請求項４】
室内の複数の壁面どうしを導体で接続し、そのうちの少なくとも１つを接地電極に接続したこと
を特徴とする請求項１に記載の室内環境改善方法。
【請求項５】
少なくとも金属で有底筒体に形成されたアース本体と、該アース本体内に収納される木炭と触媒とからなること
を特徴とする接地電極装置。
【請求項６】
木炭と触媒との割合は、
木炭１００重量部に対し、触媒が略５〜３０重量部であること
を特徴とする請求項５に記載の接地電極装置。
【請求項７】
前記木炭は、
直径が略１〜５００μｍの粉体であること
を特徴とする請求項５または６に記載の接地電極装置。
【請求項８】
前記触媒は、
塩化ナトリウムであること
を特徴とする請求項５または６に記載の接地電極装置。
【請求項９】
前記金属は、
ステンレスであること
を特徴とする請求項５に記載の接地電極装置。
【請求項１０】
アース本体に蓋部材を配設して密閉構造にしたこと
を特徴とする請求項５に記載の接地電極装置。
【請求項１１】
前記蓋部材には、
接続用の電極を配設したこと
を特徴とする請求項１０に記載の接地電極装置。
【発明の詳細な説明】
【０００１】
【発明の属する技術分野】
本発明は、室内の壁面に木炭粉末を含有した塗料を塗布した際に、該木炭の効力を維持させて前記室内の環境をマイナスイオンが豊富な環境に改善する方法と、木炭を内部に収納してマイナスイオンを集めるようにした接地電極装置とに関するものである。
【０００２】
【従来の技術】
従来、住宅を新築した場合等において、該住宅を建築する際に石油化学製品が含まれている建材、塗料または接着剤等を使用することにより、ホルムアルデヒト等の揮発性有機化合物（ＶＯＣ）が発生するという、室内環境の汚染が問題となっている。
【０００３】
このように、ホルムアルデヒド等の揮発性有機化合物（ＶＯＣ）が発生した場合には、例えば、疲労、頭痛、めまい、視界のぼやけ、皮膚の赤み、ドライスキン、のどの痛み、声がれ、動悸等の人体への影響があるとされており、これらの症状は、所謂、シックハウス症候群または新築病等と称されている。
【０００４】
前記シックハウス症候群が多くなった背景としては、例えば、住宅の高気密化や高い断熱性を有する建材の普及等があげられ、該建材等から揮発したホルムアルデヒド等の揮発性有機化合物が、前記住宅が高気密化であることにより、該住宅の外部に放出されにくく、該住宅の内部に蓄積されることが考えられる。
【０００５】
また、ホルムアルデヒド等の揮発性有機化合物（ＶＯＣ）が多く発生している環境は、一般的に、プラスイオンが多く存在する環境になっていることから、前記、シックハウス症候群になってしまうような室内の環境においては、前記ホルムアルデヒド等の揮発性有機化合物が多く存在しているばかりでなく、プラスイオンが多く存在する環境にもなっているのである。
【０００６】
この室内におけるプラスイオンが多く存在する環境をマイナスイオンが多く存在する環境に改善する方法としては、例えば、木炭を使用することが注目されている。
【０００７】
木炭は、多孔質であるため、その多数の孔に前記ホルムアルデヒド等の揮発性有機化合物を吸着し、更に、木炭を配設することにより、マイナスイオンを集めることができ、室内をマイナスイオンが多く存在する環境に改善できることが知られている。
【０００８】
この木炭を含有した塗料としては、同一出願人による、高融点型ナイロン（登録商標）樹脂等（以下、ポリアミド系樹脂という）と、該ポリアミド系樹脂の溶剤とに、木炭粉末を含有させた塗料組成物がある（特許文献１参照）。
【０００９】
この特許文献１の公知技術においては、塗料組成物を塗装することにより形成される被膜が、通気性、透水性及び防水性を有しているため、前記塗料組成物に含有されている木炭の特性、即ち、調湿性、抗菌作用、脱臭作用、空気の浄化作用等を阻害しないようにして、前記塗料組成物に含有される木炭の特性を発揮し得るようにしたものである。
【００１０】
【特許文献１】
特開第３１３３９６２号公報（第１頁）
【００１１】
【発明が解決しようとする課題】
しかしながら、前記特許文献１の公知技術においては、木炭粉末を含有した前記塗料組成物を室内の壁面等に塗布した直後は、該木炭粉末による木炭の特性により、室内の環境をマイナスイオンが多く存在する環境に改善できるが、前記木炭粉末がホルムアルデヒド等の揮発性有機化合物と共にプラスイオンを吸着することにより、時間の経過と共に木炭の効力が低下し、前記室内環境をマイナスイオンが多く存在する環境に維持できなくなるという問題点を有している。
【００１２】
従って、従来の木炭を使用して室内の環境を改善する方法においては、木炭粉末を含有した塗料を室内の壁面に塗布した場合に、木炭の効力が維持されるようにし、該室内環境をマイナスイオンが豊富な環境に維持できるようにすること、また、該マイナスイオンが豊富な環境をより高いレベルで安定して維持できるようにするということに解決しなければならない課題を有している。
【００１３】
【課題を解決するための手段】
上記した従来例の課題を解決する具体的手段として本発明に係る第１の発明として、木炭粉末を含有した塗料を室内の壁面に塗布して室内の環境を改善する方法であって、前記室内の床面を絶縁体で形成し、前記壁面を地中に埋設した接地電極に接続して接地電位にすることを特徴とする室内環境改善方法を提供するものである。
【００１４】
この第１の発明において、前記接地電極は、地中の略１〜２ｍの深さに埋設された電極であること；前記木炭粉末を含有した塗料は、ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物であること；室内の複数の壁面どうしを導体で接続し、そのうちの少なくとも１つを接地電極に接続したこと；を付加的な要件として含むものである。
【００１５】
また、本発明に係る第２の発明として、少なくとも金属で有底筒体に形成されたアース本体と、該アース本体内に収納される木炭と触媒とからなることを特徴とする接地電極装置を提供するものである。
【００１６】
この第２の発明において、木炭と触媒との割合は、木炭１００重量部に対し、触媒が略５〜３０重量部であること；前記木炭は、直径が略１〜５００μｍの粉体であること；前記触媒は、塩化ナトリウムであること；前記金属は、ステンレスであること；アース本体に蓋部材を配設して密閉構造にしたこと；前記蓋部材には、接続用の電極を配設したこと；を付加的な要件として含むものである。
【００１７】
本発明に係る室内環境改善方法は、室内の床面に絶縁体を配設することにより、該床面が絶縁された状態になるため、該床面からマイナスイオンの電位が漏脱することを防止でき、前記室内の壁面に木炭粉末を含有した塗料を塗布し、該壁面を地中に埋設した接地電極に接続して該壁面を接地電位にすることにより、前記木炭粉末の電気的なバランスを調整して木炭の効力を維持させ、前記室内環境をマイナスイオンが豊富な環境に維持できるようになる。
【００１８】
また、前記接地電極として、金属製の有底筒体であるアース本体の内部に木炭と触媒とを混合したものを収納させた接地電極装置を使用することにより、該接地電極装置が、触媒の存在により木炭の効力が得やすいものであるため、該木炭の効力を高いレベルで安定した状態で維持でき、前記室内環境をより一層マイナスイオンが豊富な環境に維持できるようになり、また、前記接地電極装置に、例えば、アンテナ等を接続して該接地電極装置を単独で使用した場合であっても、該アンテナの周囲にマイナスイオンを集めることができるようになり、室内ばかりでなく屋外であっても、該アンテナの周囲をマイナスイオンが豊富な環境にできるのである。
【００１９】
【発明の実施の形態】
次に、本発明を具体的な実施の形態に基づいて詳しく説明する。
本発明の実施の形態に係る接地電極装置の略示的な断面図を図１に示す。接地電極装置１のアース本体２は、金属を有底筒体に形成させたものを使用することができる。該有底筒体としては、例えば、金属を円筒型または角筒型等の有底の筒状に形成されたいずれのものを使用しても良い。
【００２０】
この金属としては、例えば、ステンレス等の腐食の少ない金属を使用することが好ましい。また、アース本体２の大きさとしては、例えば、長さが略１ｍ程度であり、直径が略０．２〜０．３ｍ程度であることが好ましいが、特に限定されるものではない。
【００２１】
接地電極装置１のアース本体２の上部側には、開口部２ａが形成されており、該開口部２ａから、少なくとも木炭３と図示していない触媒とを混合して前記アース本体２の内部に収納する。この触媒としては、例えば、塩化ナトリウム等を使用することができるが、これに限定されるものではなく、木炭３の電気的な触媒として使用できるものであればいずれのものを使用しても良く、要するに、該触媒を混合させることにより、前記木炭３の効力が容易に効率よく得られるようにできれば良いのである。
【００２２】
この木炭３としては、例えば、黒炭または白炭等の木炭を使用することができるが、備長炭等のマイナスイオンを集める効力の高い木炭を使用することが好ましく、また、この木炭３においては、例えば、直径が略１〜５００μｍ程度の粉体等を使用することができ、直径が略１〜２０μｍ程度の粉体を使用することが好ましい。
【００２３】
これら木炭３と図示していない触媒とを混合して、アース本体２の内部に収納させる割合としては、前記木炭３が１００重量部であるのに対して、前記触媒が略５〜３０重量部程度であれば良く、好ましくは、前記木炭３が１００重量部であるのに対し、前記触媒が略１０重量部程度であることであり、例えば、前記アース本体２の大きさが、長さが略１ｍで、直径が略０．２ｍである場合には、前記木炭３が略１８ｋｇで、前記触媒が略２ｋｇ程度であれば良い。
【００２４】
そして、アース本体２の内部に少なくとも木炭３と図示していない触媒とを混合して収納した後、該アース本体２の上部側に形成された開口部２ａには、蓋部材４を配設して施蓋する。
【００２５】
このように、アース本体２の開口部２ａに蓋部材４を配設して施蓋することにより、接地電極装置１を密閉することができ、該接地電極装置１を地中に埋設させた場合であっても、該接地電極装置１の内部に異物が混入することがなく、該接地電極装置１の内部に収納された木炭３と触媒との反応がスムーズに行われるのである。
【００２６】
この蓋部材４としては、アース本体２と同質の金属、例えば、ステンレス等の金属を使用することが好ましいが、合成樹脂等を使用しても良い。つまり、アース本体２の開口部２ａを施蓋して、接地電極装置１を密閉の状態にできれば良いのである。
【００２７】
蓋部材４には、接地電極装置１に接続される図示していない電線またはアース線等の導体との接続を容易にするために、接続用の電極５を配設する。図１においては、３つの接続用の電極５ａ、５ｂ、５ｃを配設させた場合の例を示してある。
【００２８】
接続用の電極５ａ、５ｂ、５ｃのアース本体２の内部側の端部は、アース本体２の内部に収納された木炭３と図示していない触媒とに接触していれば良いが、図１においては、前記接続用の電極５ａ、５ｃについては、アース本体２の上部側に挿入された状態にさせているが、前記接続用の電極５ｂについては、アース本体２の略中央部まで挿入された状態にさせている。
【００２９】
このように、接地電極装置１の蓋部材４に接続用の電極５ａ、５ｂ、５ｃを配設させることにより、アース本体２の内部に収納された木炭３の効力を容易に取り出すことができるのである。
【００３０】
前記接地電極装置１を地中に埋設させる場合は、作業性等を考慮して、例えば、該接地電極装置１の長さが略１ｍ程度である場合に、略１〜２ｍ程度であれば良く、要するに、該接地電極装置１のアース本体２が埋設されていれば良いのであるから、埋設の条件等によって、その深さを適宜調節すれば良いのである。
【００３１】
このように、接地電極装置１を地中に埋設させるだけであっても、該接地電極装置１の周囲の所定範囲内に、マイナスイオンを集めることができる、即ち、該マイナスイオンが豊富に存在する環境にすることができるのである。
【００３２】
因みに、接地電極装置１を地中に埋設させた場合、該接地電極装置１から得られるマイナスイオンを集める効力は、該接地電極装置１の中央部が最も高く、次に、該接地電極装置１の下部側が高く、該接地電極装置１の上部側で得られる効力は、中央部及び下部側よりも稍少ないものであるが、該接地電極装置１には、木炭３と触媒とが混合して収納されており、該接地電極装置１から得られるマイナスイオンを集める効力は、木炭が単独で存在する場合よりも高いため、その効力が稍少ない前記接地電極装置１の上部側に接続用の電極５ａ、５ｃを挿入させるだけであっても、実質上木炭の効力を十分に得ることができ、より高い効力を得る必要がある場合に、接続用の電極５ｂのように、アース本体２の略中央部まで挿入する、もしくは、該アース本体２の略中央部または該アース本体２の下部側に接続用の電極を配設させるようにすれば良いのである。
【００３３】
前記実施の形態の接地電極装置１を使用した実施例１を図２乃至図３を用いて説明する。なお、図２は、室内の壁面を示したものであり、図３は、該壁面の一部を拡大して示したものである。
【００３４】
（実施例１）
この実施例１においては、室内の環境をマイナスイオンが豊富な環境に改善する方法を示すものであり、室内の壁面１０には、木炭粉末を含有した塗料を塗布している。この木炭粉末を含有した塗料を塗布した壁面１０は、少なくとも１つの壁面１０があれば良い。
【００３５】
この木炭粉末を含有した塗料としては、木炭粉末を含有した塗料であればいずれのものを使用しても良いが、特に、特開第３１３３９６２号公報に開示された技術であるナイロン（登録商標）６と、ナイロン（登録商標）６６と、ナイロン（登録商標）１２と、ナイロン（登録商標）６１０とからなる高融点型ナイロン（登録商標）樹脂、ナイロン（登録商標）６と、ナイロン（登録商標）６６と、ナイロン（登録商標）１２とからなる低融点型ナイロン（登録商標）樹脂またはナイロン（登録商標）６と、ナイロン（登録商標）６６と、ナイロン（登録商標）１２とからなる高融点型ナイロン（登録商標）樹脂と、これらのナイロン（登録商標）樹脂の溶剤と、木炭粉末とを含有した塗料組成物である、ヘルスコート（登録商標：アーテック工房（株）社製）等を使用することが好ましい。
【００３６】
この木炭粉末としては、白炭または黒炭等の木炭を粉末状にしたものを使用できるが、白炭または黒炭のいずれか一種、またはこれらを適宜混合して使用することができる。
【００３７】
壁面１０には、木炭粉末を含有した塗料が塗布された合板１１と銅板１２とを介して電線等の導体１３が接続されている。なお、これら木炭粉末を含有した塗料が塗布された合板１１と銅板１２とは、壁面１０に導体１３を接続させやすくするために用いるものであって、必ずしも使用しなければならないものではなく、例えば、壁面１０に導体１３を直接できる場合には、木炭粉末を含有した塗料が塗布された合板１１と銅板１２とを介さず、壁面１０に導体１３を直接接続させても良い。
【００３８】
この導体１３のうち、少なくとも１本の導体１３ａは、地中に埋設された図示していない接地電極に接続させる。該接地電極を埋設させる場所は、住宅の敷地内等の的確に接地できる場所であれば、いずれの場所でも良いが、前記接地電極に接続される導体１３の長さを短くできるため、当該住宅の縁の下等に埋設させることが好ましい。
【００３９】
この接地電極としては、前記実施の形態の接地電極装置１を使用することが好ましいが、例えば、金属板または木炭板等のいずれの接地電極であっても良い。この木炭板は、板状の木炭に限定されるものではなく、例えば、棒状または粉末状等の木炭であっても良い。
【００４０】
また、壁面１０が柱１４等により複数に分割されている場合には、図２に示してあるように、室内の複数の壁面１０ａ、１０ｂ、１０ｃ、１０ｄどうしを導体１３により、接続させれば良い。更に、図示していない、室内の四方の壁面１０全体に木炭粉末を含有した塗料を塗布し、その複数の壁面どうしを導体で接続しても良いことは勿論である。
【００４１】
この場合にも、壁面１０に導体１３を接続させやすくするため、木炭粉末を含有した塗料が塗布された合板１１と銅板１２とを介して電線等の導体１３が接続させても良く、前記壁面１０に接続された前記導体１３のうち、少なくとも１つの導体１３ａ地中に埋設された図示していない接地電極に接続させれば良いのである。
【００４２】
要するに、地中に埋設された接地電極に少なくとも１本の導体１３ａを接続させ、該導体１３ａを壁面１０ａに接続させることにより、壁面１０ａを地中に埋設された接地電極と略同電位、即ち、該壁面１０ａを接地の電位にすることができ、また、それぞれの壁面１０ａ、１０ｂ、１０ｃ、１０ｄどうしを導体１３により接続させることにより、壁面１０の全体を接地電位にすることができるのである。
【００４３】
このように、木炭粉末を含有した塗料を壁面１０に塗布することにより、該木炭粉末の効力を得ることができ、且つ、前述のように、壁面１０の全体を接地電位にすることにより、木炭粉末の電気的なバランスが接地電位に調整されるので、長い時間が経過したとしても、木炭の効力を維持できるようになるのである。
【００４４】
また、この実施例１において、前記室内の床面は、図示はしていないが絶縁体で形成している。この絶縁体としては、例えば、合成樹脂板等の絶縁体を使用することができる。なお、本発明においては、前記室内の床面全体を絶縁体で形成するだけでなく、該床面にゴム製のシートまたは合成樹脂板等の絶縁体を配設させることも含むものである。
【００４５】
このように、室内の床面に絶縁体を配設することにより、該床面が絶縁された状態になるため、該床面からマイナスイオンの電位が漏脱することを防止でき、更に、前記室内の壁面１０に木炭粉末を含有した塗料を塗布し、該壁面１０を地中に埋設した接地電極に接続して該壁面１０を接地電位にすることにより、前記木炭粉末の電気的なバランスを調整して木炭の効力が維持されると共に、室内環境をマイナスイオンが豊富に存在する環境に維持でき、更に、ホルムアルデヒド等の揮発性有機化合物（ＶＯＣ）も吸収することもできるのである。
【００４６】
そのため、この実施例１に使用する接地電極としては、壁面１０を接地電位にできれば良いのであるから、金属板または木炭板等のいずれの接地電極を使用しても良いが、該接地電極として、前記接地電極装置１を使用した場合には、該接地電極装置１が、触媒の存在により木炭３の効力を得やすくしたものであり、該木炭３の効力を高いレベルで安定した状態で維持できるものであるため、前記室内環境をより一層マイナスイオンが豊富に存在する環境に維持できるようになるので、接地電極としては、前記接地電極装置１を使用することが好ましい。
【００４７】
この接地電極を地中に埋設させる深さは、地中の略１〜２ｍ程度であれば良く、該接地電極として、接地電極装置１を使用する場合には、少なくとも該接地電極装置１のアース本体２が埋設される程度の深さにすれば良いのである。
【００４８】
また、単に、一般的な金属板または木炭板等の接地電極を使用した場合には、降雨または雪解け等により、接地電極を埋設させた地中に含有される水分量が増加した際、前記室内の電位が上昇する、即ち、マイナスイオンが少なくなることがある。特に、前記粉末状の木炭等をそのまま地中に埋設させて接地電極として使用した場合には、それぞれの木炭粉末間に水分が過剰に存在する状態になることがあるため、その地中に含有される水分量により、該木炭粉末によるマイナスイオンを集める効力が著しく減少することがあるが、前記接地電極装置１を使用した場合には、木炭３の効力を高いレベルで安定した状態で維持できるため、降雨または雪解け等の場合であっても、室内環境をマイナスイオンが豊富な環境に維持できるのである。
【００４９】
次に、前記実施の形態の接地電極装置１を使用した実施例２を図４を用いて説明する。なお、図４は、該接地電極装置１を地中２０に埋設し、該接地電極装置１にアンテナ２１を接続させた状態を示したものである。
【００５０】
（実施例２）
この実施例２においては、例えば、庭または畑等の屋外の環境をマイナスイオンが豊富な環境に改善する方法を示すものであり、地中２０に埋設した接地電極装置１の接続用の電極５には、アンテナ２１のロッド２２が電線等の導体２３を介して接続されている。
【００５１】
このアンテナ２１を配設させる場所としては、接地電極装置１の近傍に配設させることが好ましいが、該接地電極装置１と所定距離離れた場所に配設させても良い。
【００５２】
このように、接地電極装置１に接続されたアンテナ２１を庭または畑等の屋外に配設させることにより、該アンテナ２１の所定範囲内にマイナスイオンを集めることができるのである。
【００５３】
そのため、畑等の広い範囲の屋外の環境を改善させる場合には、前記接地電極装置１に接続されたアンテナ２１を複数配設させれば良く、その際、１つの接地電極装置１に所定数のアンテナ２１を接続させても良いのである。
【００５４】
なお、接地電極装置１に接続されたアンテナ２１を室内に配設し、該アンテナ２１により室内の環境を改善させても良いことは勿論である。
【００５５】
【発明の効果】
以上説明したように、本発明の第１の発明に係る室内環境改善方法は、木炭粉末を含有した塗料を室内の壁面に塗布して室内の環境を改善する方法であって、前記室内の床面を絶縁体で形成し、前記壁面を地中に埋設した接地電極に接続して接地電位にすることにより、木炭粉末の電気的なバランスを調整して木炭の効力を維持させて室内にマイナスイオンに集め、その際に、該マイナスイオンが床面から漏脱することを防止して、前記室内環境をマイナスイオンが豊富な環境に維持することができるという優れた効果を奏する。
【００５６】
また、本発明の第２の発明に係る接地電極装置は、少なくとも金属で有底筒体に形成されたアース本体と、該アース本体内に収納される木炭と触媒とからなることにより、触媒の存在により木炭の効力を効率良く得ることができるため、該木炭の効力を高いレベルで安定した状態で得ることができるようになり、マイナスイオンが豊富な環境を高いレベルで安定して維持でき、ホルムアルデヒド等の揮発性有機化合物も吸収できるという優れた効果を奏する。
【００５７】
従って、本発明の第１の発明に係る室内環境改善方法に使用する接地電極として、本発明の第２の発明に係る接地電極装置を使用した場合には、室内環境をより一層マイナスイオンが豊富に存在する環境に維持できるようになり、また、該接地電極装置に、例えば、アンテナ等を接続して該接地電極装置を単独で使用した場合であっても、該アンテナの周囲にマイナスイオンを集めることができるようになり、室内ばかりでなく屋外であっても、該アンテナの周囲をマイナスイオンが豊富な環境にできるのである。
【図面の簡単な説明】
【図１】本発明の実施の形態に係る接地電極装置を略示的に示した断面図である。
【図２】同接地電極装置を使用した場合の実施例１を説明するため、室内の壁面に導体を接続させた状態を示した説明図である。
【図３】図２の壁面の一部を拡大して示した説明図である。
【図４】図１の接地電極装置を使用した場合の実施例２であり、地中に埋設した接地電極装置にアンテナを接続させた状態を示した説明図である。
【符号の説明】
１  接地電極装置
２  アース本体
２ａ  開口部
３  木炭
４  蓋部材
５、５ａ、５ｂ、５ｃ  接続用の電極
１０、１０ａ、１０ｂ、１０ｃ、１０ｄ  壁面
１１  木炭粉末を含有した塗料が塗布された合板
１２  銅板
１３、１３ａ、２３  導体
１４  柱
２０  地中
２１  アンテナ
２２  ロッド
【図１】
2004244837.tif 000003
【図２】
2004244837.tif 000004
【図３】
2004244837.tif 000005
【図４】
2004244837.tif 000006